(57)【要約】【課題】燃料カートリッジとバーナーとを分離して用いる形式のコンロに使用される燃料カートリッジであって、かつ、燃料取り出し口を下向きにした状態で使用する燃料カートリッジに用いる燃料カートリッジ支持具を提供する。【解決手段】燃料カートリッジ支持具２００は、支持具本体１６０と、支持具本体１６０に対して鉛直面内において回動可能な４個の脚部１２０と、から構成されている。支持具本体１６０には開口部１１２が形成されており、燃料取り出し口１５２を下向きにした状態で燃料カートリッジを開口部１１２内に嵌合させ、各脚部１２０を支持具本体１６０に対して開く。【選択図】図１０
2008209049.tif 000002
【特許請求の範囲】
【請求項１】
携帯用コンロに使用される燃料カートリッジであって、燃料取り出し口と、前記燃料取り出し口の周囲に形成された周壁とを有する燃料カートリッジを前記燃料取り出し口を下向きにした状態で支持する燃料カートリッジ支持具であって、
前記燃料カートリッジ支持具を構成する支持具本体の外側形状は、前記燃料カートリッジの底面が凹状曲面に形成されている場合において、前記燃料カートリッジの前記凹状曲面に対応して形成されていることを特徴とする燃料カートリッジ支持具。
【請求項２】
前記支持具本体に対して回動可能に形成された少なくとも３個の脚部をさらに備え、
前記支持具本体には前記周壁が嵌合可能な開口部が形成されており、
前記脚部の各々は、前記支持具本体に対して収納された第一位置と、前記支持具本体から外側に延びた第二位置との間を鉛直面内において前記支持具本体に対して回動可能であり、
前記脚部の各々は、前記第二位置において、前記燃料カートリッジの前記燃料取り出し口の先端が地面に接しないような高さに前記支持具本体を支持するものである請求項１に記載の燃料カートリッジ支持具。
【請求項３】
４個の脚部を備え、これら４個の脚部は前記支持具本体の中心に対して等円周角の位置に設けられていることを特徴とする請求項２に記載の燃料カートリッジ支持具。
【請求項４】
前記脚部の先端はＶ字型に形成されていることを特徴とする請求項２または３に記載の燃料カートリッジ支持具。
【請求項５】
前記支持具本体の外径は前記凹状曲面の直径と等しく、前記支持具本体は前記凹状曲面の周縁に嵌合可能であることを特徴とする請求項１乃至４の何れか一項に記載の燃料カートリッジ支持具。
【発明の詳細な説明】
【技術分野】
【０００１】
本発明は、携帯用コンロに使用される燃料カートリッジを支持する燃料カートリッジ支持具に関する。
【背景技術】
【０００２】
携帯用コンロに使用される燃料カートリッジを支持する燃料カートリッジ支持具の一例として特開２００２−１９５５７０号公報に記載されたものがある。
【０００３】
図９は同公報に記載された燃料カートリッジ支持具４の斜視図であり、図１０は燃料カートリッジ１を支持した状態における燃料カートリッジ支持具４の断面図である。
【０００４】
図９に示すように、この燃料カートリッジ支持具４は、燃料カートリッジ１の上方に燃料取り出し口３を介してバーナー２を直接的に接続する形式の燃料カートリッジ１を支持する。
【０００５】
図９に示すように、燃料カートリッジ支持具４は、中央に円柱状の凹部８が形成されている支持具本体５と、この支持具本体５の周縁を形成するフランジ６の下方において、支持具本体５に対して水平面内において回動可能に形成されている３個の接地脚７と、から構成されている。
【０００６】
接地脚７の各々は、凹部８の外周面に沿ってフランジ６の下側に収納される位置と、支持具本体５に対して展開された位置との間において、支持具本体５に対して回動可能である。
【０００７】
各接地脚７は、支持具本体５に対して展開された状態においては、凹部８の周壁９に形成された開口部１０から一端が凹部８の内側に突出し、凹部８の中に装着された燃料カートリッジ１の側面に当たるようになっている（図１０参照）。
【特許文献１】特開２００２−１９５５７０号公報
【発明の開示】
【発明が解決しようとする課題】
【０００８】
燃料カートリッジ１に充填される燃料が空気よりも軽い気体（例えば、メタンガス）である場合には、図９及び図１０に示したように、燃料カートリッジ１は燃料取り出し口３を上向きにした状態で支持される。
【０００９】
近年では、燃焼効率及び燃焼可能時間を向上させるため、燃料カートリッジ１に充填される燃料として液体（例えば、ガソリン、軽油、石油、ＬＰＧなど）が多用されている。
【００１０】
燃料として液体燃料を用いる場合、液体燃料は空気よりも重いため、燃料カートリッジ１は、燃料取り出し口３を下向きにした状態で支持することが必要となる。さらに、燃料カートリッジ１をバーナー２に直接に接続せず、燃料カートリッジ１とバーナー２とを分離させることも必要となる。
【００１１】
このため、液体燃料が充填された燃料カートリッジに対しては図９及び図１０に示した従来の燃料カートリッジ支持具４を用いることはできない。
【００１２】
本発明は、従来の燃料カートリッジ支持具における上記のような問題点に鑑みてなされたものであり、燃料カートリッジとバーナーとを分離して用いる形式のコンロに使用される燃料カートリッジであって、かつ、燃料取り出し口を下向きにした状態で使用する燃料カートリッジに用いる燃料カートリッジ支持具を提供することを目的とする。
【課題を解決するための手段】
【００１３】
以下に、「発明の実施の形態」において使用される参照符号を用いて、上述の課題を解決するための手段を説明する。これらの参照符号は、「特許請求の範囲」の記載と「発明の実施の形態」の記載との間の対応関係を明らかにするためにのみ付加されたものであり、「特許請求の範囲」に記載されている発明の技術的範囲の解釈に用いるべきものではない。
【００１４】
上記の目的を達成するため、本発明は、携帯用コンロに使用される燃料カートリッジ（１００）であって、燃料取り出し口（１５２）と、前記燃料取り出し口（１５２）の周囲に形成された周壁（１５３）とを有する燃料カートリッジ（１５０）を前記燃料取り出し口（１５２）を下向きにした状態で支持する燃料カートリッジ支持具（１００）であって、前記燃料カートリッジ支持具（１００）を構成する支持具本体（１１０）の外側形状は、前記燃料カートリッジ（１５０）の底面（１５４）が凹状曲面に形成されている場合において、前記燃料カートリッジ（１５０）の前記凹状曲面に対応して形成されていることを特徴とする燃料カートリッジ支持具（１００）を提供する。
【００１５】
前記支持具本体（１６０）に対して回動可能に形成された少なくとも３個の脚部（１２０）をさらに備え、前記支持具本体（１６０）には前記周壁（１５３）が嵌合可能な開口部（１１２）が形成されており、前記脚部（１２０）の各々は、前記支持具本体（１６０）に対して収納された第一位置と、前記支持具本体（１６０）から外側に延びた第二位置との間を鉛直面内において前記支持具本体（１６０）に対して回動可能であり、前記脚部（１２０）の各々は、前記第二位置において、前記燃料カートリッジ（１５０）の前記燃料取り出し口（１５３）の先端が地面に接しないような高さに前記支持具本体（１６０）を支持するものであることが好ましい。
【００１６】
４個の脚部（１２０）を備え、これら４個の脚部（１２０）は前記支持具本体（１６０）の中心に対して等円周角の位置に設けられていることが好ましい。
【００１７】
前記脚部（１２０）の先端はＶ字型に形成されていることが好ましい。
【００１８】
前記支持具本体（１６０）の外径は前記凹状曲面の直径と等しく、前記支持具本体（１６０）は前記凹状曲面の周縁（１５５）に嵌合可能であることが好ましい。
【発明の効果】
【００１９】
本発明に係る燃料カートリッジ支持具によれば、燃料取り出し口を下向きにした状態で燃料カートリッジを確実に支持することが可能である。
【００２０】
さらに、支持具本体の外側表面を燃料カートリッジの凹状曲面に対応して形成することにより、本発明に係る燃料カートリッジ支持具は燃料カートリッジの底面が形成する凹状のスペース内に収納することができ、本発明に係る燃料カートリッジ支持具を収納するスペースとして特別なスペースを確保する必要がなくなる。
【００２１】
また、脚部を設けることにより、より安定した状態で燃料カートリッジを支持することが可能である。非使用時には、各脚部を第一位置に収納することにより、本発明に係る燃料カートリッジ支持具を小スペースで保管しておくことができる。
【発明を実施するための最良の形態】
【００２２】
（第一の実施形態）
図１は本発明の第一の実施形態に係る燃料カートリッジ支持具１００の斜視図であり、図２は図１の縦断面図である。
【００２３】
本実施形態に係る燃料カートリッジ支持具１００はプラスチック製の支持具本体１１０として構成されている。
【００２４】
支持具本体１１０の中央には円形の開口部１１２が形成されている。
【００２５】
図１に示すように、支持具本体１１０は開口部１１２の周囲に下方に傾斜する外周面１１３を有しており、外周面１１３の底面付近には円形の開口部１１４が形成されている。
【００２６】
図３は本実施形態に係る燃料カートリッジ支持具１００により支持される燃料カートリッジ１５０の縦断面図である。
【００２７】
燃料カートリッジ１５０は、ほぼ円柱状のカートリッジ本体１５１と、カートリッジ本体１５１の上端に形成されている燃料取り出し口１５２と、燃料取り出し口１５２の周囲に形成された環状の周壁１５３と、円弧状の底面１５４と、を有している。
【００２８】
支持具本体１１０に形成された開口部１１２の外径は、燃料カートリッジ１５０の周壁１５３を開口部１１２の中に嵌合し得る範囲内において設定されている。
【００２９】
支持具本体１１０の外周面１１３は、燃料カートリッジ１５０の円弧状の底面１５４に対応して形成されている。すなわち、燃料カートリッジ１５０の円弧状の底面１５４が凹状の曲面であるのに対して、支持具本体１１０の外周面１１３はその凹状の曲面に合致する凸状の曲面に形成されている。
【００３０】
このため、図４に示すように、本実施形態に係る燃料カートリッジ支持具１００は、非使用時においては、燃料カートリッジ１５０の円弧状の底面１５４が形成する凹部状の空間に収納することが可能である。
【００３１】
図５は、本実施形態に係る燃料カートリッジ支持具１００を用いて、燃料カートリッジ１５０を支持する状態を示す一部断面図を含む概略図である。
【００３２】
図３に示す燃料カートリッジ１５０は燃料取り出し口１５２を下向きにした状態で支持具本体１１０の開口部１１２の中に嵌合される。具体的には、周壁１５３が開口部１１２の中に嵌合される。
【００３３】
この状態において、燃料カートリッジ１５０の周壁１５３の外径に等しい内径を有するキャップ１３０を周壁１５３の周囲に嵌め込む。
【００３４】
キャップ１３０の中央には開口部１３１が形成されており、この開口部１３１を介して、燃料ホース１３５の一端を燃料カートリッジ１５０の燃料取り出し口１５２に嵌め込み、燃料ホース１３５の他端はバーナーユニット１４０の燃料調節弁１４１に連結する。
【００３５】
なお、支持具本体１１０は、燃料カートリッジ１５０を下向きに支持した状態においても、燃料カートリッジ１５０の燃料取り出し口１５２に燃料ホース１３５を差し込める程度の高さを有している。
【００３６】
以上のように、本実施形態に係る燃料カートリッジ支持具１００によれば、燃料取り出し口１５２を下向きにした状態で燃料カートリッジ１５０を確実に支持することが可能である。
【００３７】
さらに、非使用時には、燃料カートリッジ１５０の円弧状の底面１５４が形成する凹状の空間内に収納することができるため、本実施形態に係る燃料カートリッジ支持具１００の収納スペースを確保する必要がない。
【００３８】
なお、本実施形態に係る燃料カートリッジ支持具１００は、例えば、粘着テープ（両面テープなど）を用いて燃料カートリッジ１５０の底面１５４に取り外し可能に接着させることができる。
【００３９】
さらに、本実施形態に係る燃料カートリッジ支持具１００（または支持具本体１１０）の外径は燃料カートリッジ１５０の底面１５４の凹状曲面の直径にほぼ等しいか、あるいは、やや大きく設定することが好ましい。
【００４０】
燃料カートリッジ支持具１００の外径をこのように設定することにより、燃料カートリッジ支持具１００を燃料カートリッジ１５０の底面１５４の周縁１５５に嵌合させることができ、粘着テープその他の接着手段を用いることなく、燃料カートリッジ支持具１００を燃料カートリッジ１５０の底面１５４が形成する凹状のスペース内に収納することが可能になる。
【００４１】
（第二の実施形態）
図６は本発明の第二の実施形態に係る燃料カートリッジ支持具２００において脚部を開いた状態の斜視図であり、図７は図６のＡ−Ａ線における断面図である。図８は本発明の第二の実施形態に係る燃料カートリッジ支持具２００において脚部を閉じた状態の平面図であり、図９は図８のＢ−Ｂ線における断面図である。
【００４２】
図６に示すように、本実施形態に係る燃料カートリッジ支持具２００は、支持具本体１６０と、支持具本体１６０に対して回動可能に形成された４個の脚部１２０と、を備えている。
【００４３】
支持具本体１６０及び脚部１２０はいずれもプラスチックでつくられている。
【００４４】
図６及び図８に示すように、支持具本体１６０は、上方から見たときに、四方に突出する突出部１１１を有する十字に近い形状を有している。
【００４５】
支持具本体１６０の中央には円形の開口部１１２が形成されている。
【００４６】
図７及び図９に示すように、支持具本体１６０は開口部１１２の周囲に下方に傾斜する外周面１１３を有している。
【００４７】
支持具本体１６０の外周面１１３は、第一の実施形態における支持具本体１１０と同様に、燃料カートリッジ１５０の円弧状の底面１５４に対応して形成されている。すなわち、燃料カートリッジ１５０の円弧状の底面１５４が凹状の曲面であるのに対して、支持具本体１１０の外周面１１３はその凹状の曲面に合致する凸状の曲面に形成されている。
【００４８】
このため、図１１に示すように、本実施形態に係る燃料カートリッジ支持具２００は、非使用時においては、燃料カートリッジ１５０の円弧状の底面１５４が形成する凹部状の空間に収納することが可能である。
【００４９】
支持具本体１１０に形成された開口部１１２の外径は、燃料カートリッジ１５０の周壁１５３を開口部１１２の中に嵌合し得る範囲内において設定されている。
【００５０】
各脚部１２０は、支持具本体１６０の突出部１１１において、支持具本体１６０の側壁１１５にピン１１６を介して支持されており、支持具本体１６０に対して鉛直面内を回動可能である。具体的には、図９に示す第一位置と図７に示す第二位置との間を回動可能に形成されている。
【００５１】
図９に示す第一位置においては、各脚部１２０の全体が支持具本体１６０の内部に収納されており、図７に示す第二位置においては、各脚部１２０は支持具本体１６０の内壁に接した状態で支持具本体１６０から外側に延びるようになっている。
【００５２】
各脚部１２０の先端にはＶ字型の接地部１２１が形成されており、各脚部１２０はＶ字型の接地部１２１において接地している。
【００５３】
また、Ｖ字型の接地部１２１には、図８に示すように、Ｖ字型部分にわたって補強材１２２が形成されている。
【００５４】
図９に示す第一位置においては、図８に示すように、各脚部１２０のＶ字型の接地部１２１は開口部１１２の中に収納されるようになっている。
【００５５】
図１０は、本実施形態に係る燃料カートリッジ支持具２００を用いて燃料カートリッジ１５０を支持した状態を示す一部断面図を含む概略図である。
【００５６】
燃料カートリッジ１５０は燃料取り出し口１５２を下向きにした状態で支持具本体１６０の開口部１１２の中に嵌合される。具体的には、周壁１５３が開口部１１２の中に嵌合される。
【００５７】
この状態において、開口部１１２の下端において、開口部１１２の外径に等しい内径を有するキャップ１３０を開口部１１２に嵌め込む。
【００５８】
キャップ１３０の中央には開口部１３１が形成されており、この開口部１３１を介して、燃料ホース１３５の一端を燃料カートリッジ１５０の燃料取り出し口１５２に嵌め込み、燃料ホース１３５の他端はバーナーユニット１４０の燃料調節弁１４１に連結する。
【００５９】
各脚部１２０は、図７に示す第二位置においては、燃料カートリッジ１５０の燃料取り出し口１５２の先端が地面に接しないような高さに支持具本体１６０を支持している。
【００６０】
以上のように、本実施形態に係る燃料カートリッジ支持具２００によれば、燃料カートリッジ１５０を燃料取り出し口１５２を下向きにした状態で確実に支持することが可能である。
【００６１】
また、非使用時には、各脚部１２０を図９に示す第一位置に収納することにより、本実施形態に係る燃料カートリッジ支持具２００を小スペースで保管しておくことができる。
【００６２】
さらに、図１１に示すように、燃料カートリッジ１５０の底面１５４の円弧状曲面に合わせて燃料カートリッジ支持具２００の外側表面１０３が凸状の円弧状曲面に形成されているため、本実施形態に係る燃料カートリッジ支持具２００は燃料カートリッジ１５０の底面１５４が形成する凹状のスペース内に収納することができる。
【００６３】
このため、本実施形態に係る燃料カートリッジ支持具２００を収納するスペースとして特別なスペースを確保する必要がない。
【００６４】
本実施形態に係る燃料カートリッジ支持具２００の構造は上記の構造に限定されるものではなく、種々の改変が可能である。
【００６５】
例えば、本実施形態に係る燃料カートリッジ支持具２００においては、支持具本体１６０の形状は突出部１１１を有するものとして形成されているが、支持具本体１６０の形状はこれには限定されない。開口部１１２を有し、かつ、脚部１２０を回動自在に取り付けることができるものである限り、支持具本体１６０は任意の形状を取ることができる。
【００６６】
また、本実施形態に係る燃料カートリッジ支持具２００は４個の脚部１２０を有するものとして構成されているが、脚部１２０の数は４には限定されない。脚部１２０の数として、３以上の数であれば、任意の数を選択することが可能である。なお、各脚部１２０は支持具本体１６０の中心に関して等円周角に配置されることが好ましい（例えば、脚部１２０の数が４である場合には、円周角は９０度）。
【００６７】
さらに、本実施形態に係る燃料カートリッジ支持具２００においては、各脚部１２０の先端にはＶ字型の接地部１２１が形成されているが、接地部１２１の形状はＶ字型には限定されない。支持具本体１１０を確実に接地させることができるものであれば、任意の形状を取ることができる。
【図面の簡単な説明】
【００６８】
【図１】本発明の第一の実施形態に係る燃料カートリッジ支持具の斜視図である。
【図２】図２は図１の縦断面図である。
【図３】本発明の第一の実施形態に係る燃料カートリッジ支持具により支持される燃料カートリッジの縦断面図である。
【図４】本発明の第一の実施形態に係る燃料カートリッジ支持具を燃料カートリッジの底面に密着させて収納した状態を示す断面図である。
【図５】本発明の第一の実施形態に係る燃料カートリッジ支持具を用いて、燃料カートリッジを支持する状態を示す一部断面図を含む概略図である。
【図６】本発明の第二の実施形態に係る燃料カートリッジ支持具において脚部を開いた状態の斜視図である。
【図７】図６のＡ−Ａ線における断面図である。
【図８】本発明の第二の実施形態に係る燃料カートリッジ支持具において脚部を閉じた状態の平面図である。
【図９】本発明の第二の実施形態に係る燃料カートリッジ支持具において脚部を閉じた状態の断面図である。
【図１０】本発明の第二の実施形態に係る燃料カートリッジ支持具を用いて燃料カートリッジを支持した状態を示す一部断面図を含む概略図である。
【図１１】本発明の第二の実施形態に係る燃料カートリッジ支持具を燃料カートリッジの底面に密着させて収納した状態を示す断面図である。
【符号の説明】
【００６９】
１００  本発明の第一の実施形態に係る燃料カートリッジ支持具
１１０  支持具本体
１１１  突出部
１１２  開口部
１１３  支持具本体の外周面
１１５  支持具本体の側壁
１１６  ピン
１２０  脚部
１２１  接地部
１３０  キャップ
１３１  開口部
１３５  燃料ホース
１４０  バーナーユニット
１４１  燃料調節弁
１５０  燃料カートリッジ
１５１  カートリッジ本体
１５２  燃料取り出し口
１５３  周壁
１５４  底面
２００  本発明の第二の実施形態に係る燃料カートリッジ支持具
【図１】
2008209049.tif 000003
【図２】
2008209049.tif 000004
【図３】
2008209049.tif 000005
【図４】
2008209049.tif 000006
【図５】
2008209049.tif 000007
【図６】
2008209049.tif 000008
【図７】
2008209049.tif 000009
【図８】
2008209049.tif 000010
【図９】
2008209049.tif 000011
【図１０】
2008209049.tif 000012
【図１１】
2008209049.tif 000013